(57)【要約】【課題】  ４本ワイヤー構造を持つ昇降リールのワイヤー絡み防止装置及びこれを備えた昇降リールの提供。【解決手段】  ４本ワイヤー構造を持つ昇降リールは、構造物の天井面に固設される本体と、前記本体に一定間隔で固設されて駆動モータによって回転する第１及び第２ドラムと、前記第１及び第２ドラムにそれぞれ連結されるワイヤーと、昇降体の上端に一定間隔で配列され、前記ワイヤーに垂れ下げられて４本ワイヤーを形成する第１、第２、第３及び第４案内ローラーと、前記第１ドラムに連結されたワイヤーの終端と前記第２ドラムに連結されたワイヤーの終端間に設けられ、前記ワイヤーを相互連結するワイヤー絡み防止装置と、を含む。前記絡み防止装置は前記ワイヤーの終端にそれぞれ設けられたベアリングを含む。前記ベアリングによって、前記ワイヤーが前記ドラムに巻き取られるか又はドラムから巻き出されるとき、前記ワイヤーが絡むことを防止する。【選択図】      図１
2009544551.tif 000002
【特許請求の範囲】
【請求項１】
構造物の天井面に固設される本体と、前記本体に一定間隔で固設されて駆動モータによって回転する第１及び第２ドラムと、前記第１及び第２ドラムにそれぞれ連結されるワイヤーと、昇降体の上端に一定間隔で配列され、前記ワイヤーに垂れ下げられて４本ワイヤーを形成する第１、第２、第３及び第４案内ローラーと、を含む４本ワイヤー構造を持つ昇降リールのワイヤー絡み防止装置であって、
前記絡み防止装置は前記第１ドラムに連結されたワイヤーの終端と前記第２ドラムに連結されたワイヤーの終端間に設けられて前記ワイヤーを相互連結し、
前記絡み防止装置は前記ワイヤーの終端にそれぞれ回転自在に設けられたベアリングを含み、
前記ベアリングによって、前記ワイヤーが前記ドラムに巻き取られるか又はドラムから巻き出されるとき、前記ワイヤーが絡むことを防止することを特徴とする４本ワイヤー構造を持つ昇降リールのワイヤー絡み防止装置。
【請求項２】
所定の長さを持って内部に移動空間が形成される案内管と、
前記案内管の内部に前記案内管に沿って移動可能に挿入される移動体と、
前記案内管の両側に前記移動体と所定距離離隔してそれぞれ設けられたスローセンサーと、をさらに含み、
前記スローセンサーは前記移動体が一側に移動することを感知して前記移動体が接近した方のドラムをゆっくり作動させることを特徴とする請求項１に記載の４本ワイヤー構造を持つ昇降リールのワイヤー絡み防止装置。
【請求項３】
前記案内管の内部で前記スローセンサーと一定間隔を隔てて外側に形成される停止センサーをさらに含み、
前記停止センサーは前記移動体の接触を感知して前記移動体が接近した方のドラムを停止させることを特徴とする請求項２に記載の４本ワイヤー構造を持つ昇降リールのワイヤー絡み防止装置。
【請求項４】
前記移動体内部の両側にはそれぞれ回転空間が形成され、前記ベアリングは前記ワイヤーの終端に結合された状態で前記回転空間内に回転自在に設けられることを特徴とする請求項２に記載の４本ワイヤー構造を持つ昇降リールのワイヤー絡み防止装置。
【請求項５】
前記第１及び第２ドラムに連結された前記ワイヤーはそれぞれＳ字状編み及びＺ字状編み、またはそれと逆の編み方向を持ち、
それによって前記ワイヤーの編み方向は相互逆に配置されることを特徴とする請求項１に記載の４本ワイヤー構造を持つ昇降リールのワイヤー絡み防止装置。
【請求項６】
構造物の天井面に固設される本体と、
前記本体に一定間隔で固設されて駆動モータによって回転する第１及び第２ドラムと、
前記第１及び第２ドラムにそれぞれ連結されるワイヤーと、
昇降体の上端に一定間隔で配列され、前記ワイヤーに垂れ下げられて４本ワイヤーを形成する第１、第２、第３及び第４案内ローラーと、
前記第１ドラムに連結されたワイヤーの終端と前記第２ドラムに連結されたワイヤーの終端間に設けられて前記ワイヤーを相互連結するワイヤー絡み防止装置と、を含み、
前記絡み防止装置は前記ワイヤーの終端にそれぞれ設けられたベアリングを含み、
前記ベアリングによって、前記ワイヤーが前記ドラムに巻き取られるか又はドラムから巻き出されるとき、前記ワイヤーが絡むことを防止することを特徴とする４本ワイヤー構造を持つ昇降リール。
【請求項７】
前記絡み防止装置は、
所定の長さを持って内部に移動空間が形成される案内管と、
前記案内管の内部に前記案内管に沿って移動可能に挿入される移動体と、
前記案内管の両側に前記移動体と所定距離離隔してそれぞれ設けられたスローセンサーと、をさらに含み、
前記スローセンサーは前記移動体が一側に移動することを感知して前記移動体が接近した方のドラムをゆっくり作動させることを特徴とする請求項６に記載の４本ワイヤー構造を持つ昇降リール。
【請求項８】
前記絡み防止装置は前記案内管の内部で前記スローセンサーと一定間隔を隔てて外側に形成される停止センサーをさらに含み、
前記停止センサーは前記移動体の接触を感知して前記移動体が接近した方のドラムを停止させることを特徴とする請求項７に記載の４本ワイヤー構造を持つ昇降リール。
【請求項９】
前記移動体内部の両側にはそれぞれ回転空間が形成され、前記ベアリングは前記ワイヤーの終端に結合された状態で前記回転空間内に回転自在に設けられることを特徴とする請求項７に記載の４本ワイヤー構造を持つ昇降リール。
【請求項１０】
前記第１及び第２ドラムに連結された前記ワイヤーはそれぞれＳ字状編み及びＺ字状編み、またはそれと逆の編み方向を持ち、
それによって前記ワイヤーの編み方向は相互逆に配置されることを特徴とする請求項６に記載の４本ワイヤー構造を持つ昇降リール。
【発明の詳細な説明】
【技術分野】
【０００１】
本発明は、４本ワイヤー構造を持つ昇降リールのワイヤー絡み防止装置に関し、特に第１ドラムに連結されたワイヤーの終端と第２ドラムに連結されたワイヤーの終端間に絡み防止装置を連結した後、ワイヤーがドラムに巻き取られるか又はドラムから巻き出されるとき、ワイヤーの絡みを防止することはもちろん、第１ドラムと第２ドラムにワイヤーが均一に巻き取られるようにした４本ワイヤー構造を持つ昇降リールのワイヤー絡み防止装置に関する。
【背景技術】
【０００２】
一般に、ワイヤーを用いて昇降する多様な製品が使われている。このような昇降機能を持つ製品を詳しく説明すると、次のようである。
【０００３】
まず、高所照明灯は工場、体育館などのような建物の天井面に設けられて室内を照明する。また、空気調和機のグリルは空気調和機で発生した冷温空気を室内に放出できるように、天井面に固設された本体の下端に位置して室内の空気を吸い込む。また、シャンデリアはホテルロビー、結婚式場などのような建物の天井面に設けられて室内を高級な雰囲気で照明する。また、舞台照明用バテン（ｂａｔｔｅｎ）は、演劇、舞踊、オペラなど各種舞台公演場に設けられて照明、垂れ幕などを設置するのに使われる。もちろん、この外にも一部または全体が昇降する製品は非常に多様である。
【０００４】
上記のような高所照明灯、空気調和機のグリル、シャンデリア、舞台照明用バテン（以下、「製品」と称する）は、それぞれ異なる用途に使われているが、このような製品は全て建物の天井面に設けられて使われている。したがって、長期間に亘って製品を使う場合、寿命が尽きるか又は埃が溜まるため、周期的に掃除及び交換作業を行う。このとき、掃除及び交換作業を簡便かつ安全に行うための手段として、製品を地上に下降させる昇降リールがこのような製品に設けられる。
【０００５】
このような昇降リールは、１本、２本、４本のワイヤーを持つ昇降リールに分けられる。この中から本発明の対象になる４本ワイヤー構造を持つ昇降リールの構造を簡単に説明すると、次のようである。前記４本ワイヤー構造を持つ昇降リールは天井面に固設される本体と、前記本体の内部に一定間隔で設けられて駆動モータによって回転する第１ドラム及び第２ドラムと、一端は第１ドラムに連結されて他端は第２ドラムに連結されるワイヤーと、昇降体の上端に一定間隔で配設されてワイヤーに垂れ下げられる第１ないし第４の案内ローラーと、を含む。このとき、ワイヤーが前記第１ないし第４の案内ローラーを経由して連結されれば、前記昇降リールのワイヤーは４本ワイヤーを形成するようになる。
【０００６】
上記のような従来の４本ワイヤー構造を持つ昇降リールは、第１ドラム及び第２ドラムを回転させて製品を上昇または下降させることができる。このようなワイヤーは、通常、第１ドラムと第２ドラムとを１本のワイヤーで連結している。また、ワイヤーは一般にワイヤー強度を高めるためＳ字状に編まれるか又はＺ字状に編まれているため、ワイヤーがドラムから巻き出されるか又はドラムに巻き取られるとき、ワイヤーそのものが編まれた方向に回転しようとする性質がある。
【０００７】
したがって、従来、ワイヤーがドラムから巻き出されるか又はドラムに巻き取られるとき、その編まれた方向にワイヤーが自転するために４本のワイヤーが互いに絡む現象が生じ、このように絡んだワイヤーを全て手で解かなければならず煩雑であった。
【発明の概要】
【発明が解決しようとする課題】
【０００８】
本発明は前述した従来の問題点に鑑みて案出したものであり、本発明の目的は第１ドラムに連結されたワイヤーの終端と第２ドラムに連結されたワイヤーの終端間に絡み防止装置を連結した後、ワイヤーがドラムに巻き取られるか又はドラムから巻き出されるときにワイヤーが編まれた方向に自転すれば、前記絡み防止装置がこれを解くことができるようにした４本ワイヤー構造を持つ昇降リールのワイヤー絡み防止装置を提供することにある。
【０００９】
本発明の他の目的は、第１ドラムと第２ドラムのうちいずれかのドラムにワイヤーが多く巻き取られれば、多く巻き取られた方のドラムをゆっくり作動させて均一にワイヤーを巻き取ることができるようにした４本ワイヤー構造を持つ昇降リールのワイヤー絡み防止装置を提供することにある。
【課題を解決するための手段】
【００１０】
このような目的を達成するため、本発明は構造物の天井面に固設される本体と、前記本体に一定間隔で固設されて駆動モータによって回転する第１及び第２ドラムと、前記第１及び第２ドラムにそれぞれ連結されるワイヤーと、昇降体の上端に一定間隔で配列され、前記ワイヤーに垂れ下げられて４本ワイヤーを形成する第１、第２、第３、及び第４案内ローラーと、を含む４本ワイヤー構造を持つ昇降リールのワイヤー絡み防止装置を提供し、前記絡み防止装置は前記第１ドラムに連結されたワイヤーの終端と前記第２ドラムに連結されたワイヤーの終端間に設けられて前記ワイヤーを相互連結し、前記絡み防止装置は前記ワイヤーの終端にそれぞれ回転可能に設けられたベアリングを含み、前記ベアリングによって前記ワイヤーが前記ドラムに巻き取られるか又は前記ドラムから巻き出されるときに前記ワイヤーが絡むことを防止する。
【００１１】
望ましくは、前記絡み防止装置が所定の長さを持って内部に移動空間が形成される案内管と、前記案内管の内部に前記案内管に沿って移動可能に挿入される移動体と、前記案内管の両側に前記移動体と所定距離離隔してそれぞれ設けられたスローセンサーと、をさらに含み、前記スローセンサーは前記移動体が一側に移動することを感知して前記移動体が接近した方のドラムをゆっくり作動させる。
【００１２】
望ましくは、前記絡み防止装置が前記案内管の内部で前記スローセンサーと一定間隔を隔てて外側に形成される停止センサーをさらに含み、前記停止センサーは前記移動体の接触を感知して前記移動体が接近した方のドラムを停止させる。
【００１３】
望ましくは、前記移動体内部の両側にはそれぞれ回転空間が形成され、前記ベアリングは前記ワイヤーの終端に結合された状態で前記回転空間内に回転自在に設けられる。
【００１４】
望ましくは、前記第１及び第２ドラムに連結された前記ワイヤーはそれぞれＳ字状編み及びＺ字状編み、またはそれと逆方向で編まれており、それによって前記ワイヤーの編み方向は相互逆に配置される。
【００１５】
本発明のまた他の態様によれば、上述した絡み防止装置を備えた４本ワイヤー構造を持つ昇降リールが提供される。
【図面の簡単な説明】
【００１６】
【図１】図１は、本発明によるワイヤー絡み防止装置を備えた４本ワイヤー構造を持つ昇降リールの要部斜視図である。
【図２】図２は、本発明による４本ワイヤー構造を持つ昇降リールのワイヤー絡み防止装置の断面図である。
【図３】図３は、４本ワイヤー構造を持つ昇降リールにおいて、４本ワイヤーが絡んだ状態を示すための斜視図である。
【発明を実施するための形態】
【００１７】
以下、本発明の望ましい実施例を添付図面を参照してより詳しく説明する。
【００１８】
図１は、本発明によるワイヤー絡み防止装置を備えた４本ワイヤー構造を持つ昇降リールの要部斜視図であり、図２は本発明による４本ワイヤー構造を持つ昇降リールのワイヤー絡み防止装置の断面図であり、図３は４本ワイヤー構造を持つ昇降リールにおいて４本ワイヤーが絡んだ状態を示す斜視図である。
【００１９】
本発明によるワイヤー絡み防止装置を備えた４本ワイヤー構造を持つ昇降リールは、天井面に固設される本体１１０と、前記本体１１０の内部に一定間隔で設けられて駆動モータ（図示せず）によって回転する第１ドラム１００及び第２ドラム１００ａと、前記第１ドラム１００及び第２ドラム１００ａに連結されるワイヤー２００、２００ａと、昇降体１２０の上端に一定間隔で配列されてワイヤー２００、２００ａに垂れ下げられる第１案内ローラー３００、第２案内ローラー３１０、第３案内ローラー３２０、第４案内ローラー３３０と、を含む。前記ワイヤー２００、２００ａは第１案内ローラー３００、第２案内ローラー３１０、第３案内ローラー３２０、及び第４案内ローラー３３０を経由して連結されて４本ワイヤーを形成する。
【００２０】
また、前記昇降リールをさらに有効に使用するために、図１ないし図３に示されたように、第１ドラム１００に連結されたワイヤー２００の終端と第２ドラム１００ａに連結されたワイヤー２００ａの終端間には絡み防止装置４００が設けられる。前記絡み防止装置４００は、前記ワイヤー２００とワイヤー２００ａとを相互連結させ、ワイヤー２００、２００ａがドラムに巻き取られるか又はドラムから巻き出されるとき、ワイヤーが相互絡まずに第１ドラム１００と第２ドラム１００ａとに均一に巻かれるようにする。
【００２１】
前記絡み防止装置４００は所定の長さを持つ案内管６００を備える。前記案内管６００の内部には移動空間６１０が形成される。また、前記案内管６００の内部には移動体４１０が前記案内管６００内で前記案内管６００に沿って移動自在に挿入される。前記移動体４１０内部の両側には回転空間４２０が形成され、前記回転空間４２０はワイヤー２００、２００ａの終端が回転可能な空間を提供する。第１ドラム１００及び第２ドラム１００ａのワイヤー２００、２００ａの終端にはそれぞれベアリング５００が設けられる。前記ベアリング５００は前記ワイヤー２００、２００ａの終端に連結された状態で前記回転空間４２０の内部に位置する。このようなベアリング５００は、ワイヤー２００、２００ａがドラムに巻き取られるか又はドラムから巻き出されるとき、ワイヤーの編まれた方向にワイヤー２００、２００ａが回転できるようにして前記ワイヤーの絡みを防止する役割をする。前記案内管６００下端の両側にはそれぞれスローセンサー６２０、６２０ａが前記移動体４１０と所定距離離隔して形成される。前記スローセンサー６２０、６２０ａは、移動体４１０が左側または右側に移動すればこれを感知し、移動体４１０が接近した方のドラムをゆっくり作動させる役割をする。前記スローセンサー６２０、６２０ａの外側には前記スローセンサー６２０、６２０ａと一定間隔を隔てて停止センサー６３０、６３０ａが設けられる。前記停止センサー６３０、６３０ａは移動体４１０の接触を感知し、移動体４１０が接近した方のドラムを停止させる役割をする。
【００２２】
本発明による４本ワイヤー構造を持つ昇降リールに使われるワイヤーを簡単に説明する。ワイヤー２００、２００ａは、通常、Ｓ字状に編まれたか又はＺ字状に編まれたものが使われる。本発明では一例として、第１ドラム１００にはＳ字状に編まれたワイヤー２００を連結し、第２ドラム１００ａにはＺ字状に編まれたワイヤー２００ａを連結した。すなわち、本発明においてワイヤー２００、２００ａは編まれた方向が逆方向になるように選択される。
【００２３】
巻き出されたワイヤー２００、２００ａが短いときには関係ないが、ワイヤー２００、２００ａは長く巻き出されると、その編まれた方向にワイヤーそのものが回転する傾向がある。このとき、第１ドラム１００と第１及び第２案内ローラー３００、３１０とに連結されたワイヤー２００は左側に回転しようとし、第２ドラム１００ａと第３及び第４案内ローラー３２０、３３０とに連結されたワイヤー２００ａは右側に回転しようとする。したがって、本発明の４本のワイヤーは相互絡まなくなる。
【００２４】
もし、第１ドラム１００及び第２ドラム１００ａにＳ字状に編まれたワイヤーやまたはＺ字状に編まれたワイヤーの一種のみを使えば、４本のワイヤーは全て同じ方向、すなわち、左側または右側方向に同時に回転しようとするため、図３のように絡むことになる。
【００２５】
ここで、ワイヤー２００、２００ａを編まれた方向に自転させるベアリング５００はスラストベアリングであることが望ましい。しかし、これに限定されることなく、ワイヤー２００、２００ａが編まれた方向への自転に役立つのであれば、他種のベアリング又はブッシングを使うことができることを明らかにしておく。
【００２６】
このように構成された本発明の絡み防止装置を使うためには、まず、第１ドラム１００にはＳ字状に編まれたワイヤー２００を連結し、第２ドラムにはＺ字状に編まれたワイヤー２００ａを連結する。次に、前記ワイヤー２００、２００ａの終端にベアリング５００を結合し、該ベアリング５００を移動体４１０の両側に形成された回転空間４２０内に位置させる。
【００２７】
その後、案内管６００の内部に形成された移動空間６１０上に移動体４１０を挿入し、スローセンサー６２０とスローセンサー６２０ａの間に前記移動体４１０を位置させる。このとき、第１ドラム１００に連結されたワイヤー２００は第１案内ローラー３００及び第２案内ローラー３１０を経由し、第２ドラム１００ａに連結されたワイヤー２００ａは第３案内ローラー３２０及び第４案内ローラー３３０を経由する。
【００２８】
上記のような状態でドラムに巻き取られたワイヤー２００、２００ａが巻き出されるか又は巻き取られるとき、ワイヤーは自らが編まれた方向に回転しようとする。このとき、ワイヤー２００、２００ａの終端に一体として連結されたベアリング５００は、ワイヤーの自転に合わせて回転空間４２０内でワイヤーが編まれた方向に回転する。したがって、ワイヤー２００、２００ａそのものはねじれなくなる。また、前記ワイヤー２００、２００ａが編まれた方向が相異なるため、昇降体１２０が下降した後にも４本のワイヤーは相互絡まない。
【００２９】
一方、ワイヤー２００、２００ａがドラムに巻き取られるとき、駆動モータの駆動力、ドラムの外径、またはその他の外部条件（ワイヤーがドラムに均一に巻き取られず一方に偏重される現象など）によって一方のドラムにワイヤーが多く巻き取られることがある。この場合、移動体４１０とスローセンサー６２０、６２０ａとが連動して第１ドラム１００と第２ドラム１００ａとにワイヤー２００、２００ａが均一に巻き取られるようにする。これについてより詳しく説明すると、次のようである。
【００３０】
ワイヤー２００、２００ａがそれぞれ第１ドラム１００と第２ドラム１００ａに均一に巻き取られているときには、移動体４１０は案内管６００の移動空間６１０の中間に位置する。上記のような状態で第１ドラム１００にワイヤーが多く巻き取られるようになれば、移動体４１０はワイヤー２００に沿って図面で右側に引っ張られてスローセンサー６２０ａに向かって移動する。移動体４１０が右側に移動する過程でスローセンサー６２０ａと接触すれば、スローセンサー６２０ａはこれを感知してワイヤー２００が多く巻き取られた方の駆動モータ（すなわち、第１ドラム１００に連結された駆動モータ）を制御して第１ドラム１００をゆっくり作動させる。
【００３１】
第１ドラム１００がゆっくり作動すれば、第２ドラム１００ａのワイヤー２００ａは第１ドラム１００側のワイヤー２００より多く巻き取られるとともに移動体４１０を徐々に図面の左側に移動させる。このとき、移動体４１０とスローセンサー６２０ａとの接触が解除されれば、すなわち移動体４１０が案内管６００の中間に位置すれば、スローセンサー６２０ａは第１ドラム１００を正常に作動させる。このような過程を経て、第１ドラム１００と第２ドラム１００ａにワイヤー２００、２００ａが均一に巻き取られるようになる。
【００３２】
逆に、第２ドラム１００ａにワイヤーが多く巻き取られるようになれば、移動体４１０はワイヤー２００ａに沿って図面の左側に引っ張られてスローセンサー６２０に向かって移動する。移動体４１０が左側に移動する過程でスローセンサー６２０と接触すれば、スローセンサー６２０はこれを感知してワイヤー２００ａが多く巻き取られた方の駆動モータ（すなわち、第２ドラム１００ａに連結された駆動モータ）を制御して第２ドラム１００ａをゆっくり作動させる。
【００３３】
第２ドラム１００ａがゆっくり作動すれば、第１ドラム１００のワイヤー２００は第２ドラム１００ａ側のワイヤー２００ａより多く巻き取られるとともに移動体４１０を徐々に図面の右側に移動させる。このとき、移動体４１０とスローセンサー６２０の接触が解除されれば、すなわち移動体４１０が案内管６００の中間に位置すれば、スローセンサー６２０は第２ドラム１００ａを正常に作動させる。このような過程を経て、第２ドラム１００ａと第１ドラム１００にワイヤー２００、２００ａが均一に巻き取られるようになる。
【００３４】
一方、移動体４１０が急激に図面の左側に移動して停止センサー６３０と接触するようになれば、前記停止センサー６３０は第２ドラム１００ａを停止させる。逆に、移動体４１０が急激に図面の右側に移動して停止センサー６３０ａと接触するようになれば、前記停止センサー６３０ａは第１ドラム１００を停止させる。このような過程を経て、第１ドラムと第２ドラムにワイヤーが均一に巻き取られるようになる。
【産業上の利用可能性】
【００３５】
本発明によれば、第１ドラムに連結されたワイヤーの終端と第２ドラムに連結されたワイヤーの終端間に絡み防止装置が連結されている。したがって、ワイヤーがドラムに巻き取られるか又はドラムから巻き出されるとき、ワイヤーが編まれた方向に自らが回転しても前記絡み防止装置がこれを解くため、ワイヤーの絡み現象が根本的に防止される。
【００３６】
また、第１ドラムに連結されるワイヤーと第２ドラムに連結されるワイヤーとの編まれた方向は相異なる。したがって、ワイヤーがドラムから長く巻き出されてもワイヤーが相異なる方向に回転しようするため、４本のワイヤーが相互絡まない。
【００３７】
また、第１ドラムと第２ドラムのうちいずれかのドラムにワイヤーが多く巻き取られれば、スローセンサーがこれを感知してワイヤーが多く巻き取られた方のドラムをゆっくり作動させるため、第１ドラムと第２ドラムにワイヤーを均一に巻き取ることができるなどの効果がある。
【符号の説明】
【００３８】
１００、１００ａ    ドラム
２００、２００ａ    ワイヤー
３００    第１案内ローラー
３１０    第２案内ローラー
３２０    第３案内ローラー
３３０    第４案内ローラー
４００    絡み防止装置
４１０    移動体
４２０    回転空間
５００    ベアリング
６００    案内管
６１０    移動空間
６２０、６２０ａ    スローセンサー
６３０、６３０ａ    停止センサー
【図１】
2009544551.tif 000003
【図２】
2009544551.tif 000004
【図３】
2009544551.tif 000005
【国際調査報告】
2009544551.tif 000006
2009544551.tif 000007